(57)【要約】【課題】害獣、害虫を殺傷することなく、害獣、害虫による被害を抑える振動発生装置を提供する。【解決手段】振動子、記憶部、電源、スイッチからなる振動発生装置であって、前記スイッチがＯＮになると、前記記憶部に記憶された予め測定された害獣、害虫の骨格又は甲殻の固有振動数を前記振動子に送信し、前記振動子は、受信した前記固有振動数により振動し、前記振動発生装置は、保護対象物辺の地表又は地中に設置されることを特徴とする。【選択図】図１
2019097472.tif 000002
【特許請求の範囲】
【請求項１】
振動子、記憶部、電源、スイッチからなる振動発生装置であって、
前記スイッチがＯＮになると、前記記憶部に記憶された予め測定された害獣、害虫の骨格又は甲殻の固有振動数を前記振動子に送信し、
前記振動子は、受信した前記固有振動数により振動し、
前記振動発生装置は、保護対象物の近辺の地表又は地中に配置され、前記害獣、害虫を寄せ付けないことを特徴とする振動発生装置。
【請求項２】
振動子、記憶部、電源、スイッチからなる振動発生装置であって、
前記スイッチがＯＮになると、前記記憶部に記憶された予め測定された害獣、害虫の骨格又は甲殻の固有振動数を前記振動子に送信し、
前記振動子は、受信した前記固有振動数により振動し、
前記振動発生装置は、地面に建てられたポールの腕部、又は木の枝から吊り下げられ空気を振動させて前記害獣、害虫を寄せ付けないことを特徴とする振動発生装置。
【請求項３】
振動子、記憶部、電源、スイッチからなる振動発生装置であって、
前記スイッチがＯＮになると、前記記憶部に記憶された予め測定された有害な水中生物の骨格又は甲殻の固有振動数を前記振動子に送信し、
前記振動子は、受信した前記固有振動数により振動し、
前記振動発生装置は、水面、水中、水底に設置されて水を振動させて前記有害な水中生物を寄せ付けないことを特徴とする振動発生装置。
【請求項４】
前記害獣、害虫又は有害な水中生物の骨格又は甲殻の固有振動数は、頭蓋骨又は頭部甲殻の固有振動数であることを特徴とする請求項１乃至３のいずれか１項に記載の振動発生装置。
【請求項５】
前記害獣、害虫又は有害な水中生物の骨格又は甲殻の固有振動数は、その骨格又は甲殻の大きさに応じて複数のグループに分けて測定され、重畳されることを特徴とする請求項１乃至４のいずれか１項に記載の振動発生装置。
【請求項６】
前記振動発生装置の設置場所、設置個数は、振動が伝わる範囲に応じて設定されることを特徴とする請求項１乃至３のいずれか１項に記載の振動発生装置。
【請求項７】
振動発生装置の外郭に記憶部にデータを入力するための入力端子が設けられることを特徴とする請求項１乃至３のいずれか１項に記載の振動発生装置。
【請求項８】
振動発生システムであって、
請求項１乃至７のいずれかに記載の少なくとも１つの振動発生装置、少なくとも１つのセンサー、制御部を含み、
前記少なくとも１つのセンサーが接近する物体を感知した場合、その情報を前記制御部に送信し、
前記制御部は、前記少なくとも１つの前記振動発生装置に前記スイッチをＯＮにするよう指示し、
前記少なくとも１つのセンサーが接近する物体がなくなったことを感知した場合、その情報を前記制御部に送信し、
前記制御部は、前記少なくとも１つの前記振動発生装置に前記スイッチをＯＦＦにするよう指示することを特徴とする振動発生システム。
【発明の詳細な説明】
【技術分野】
【０００１】
本発明は、振動発生装置、及び振動発生システムに係り、より詳しくは、害獣、害虫、有害な水中生物などが嫌う振動の発生装置、及び振動発生システムに関する。
【背景技術】
【０００２】
熊、猿等の害獣、スズメバチ等の害虫、ワニ等の有害な水中生物が人間を襲撃することが度々報道されている。対応として、猟友会による害獣駆除、専門業者による害虫駆除、水中生物の捕獲等が行われているが、いつ遭遇するかわからないので、十分とは言えない。
【０００３】
また、害獣、害虫により農作物への被害が深刻になっている。この対策として一般的には、害獣に対しては、農作物を柵で覆う方法、罠により捕らえる方法、大きな音を発生させて脅す方法などがとられている。
【先行技術文献】
【特許文献】
【０００４】
【特許文献１】特開２０１４−１２１３０８号公報
【特許文献２】特開２０１１−１７２４９８号公報
【０００５】
しかし、柵で覆う方法においては、大型の害獣はこれを破壊することがあり、又害鳥、猿には有効ではなかった。
【０００６】
罠により捕らえる方法は、多くの場合、捕らえた害獣を殺処分にすることから野生生物保護、特に希少生物保護の観点から批判がある。
【０００７】
大きな音を発生させる方法は、都市近郊地域では騒音問題になり、また人間を驚かせる場合は、批判の対象になる。
【０００８】
また、害虫に対しては集虫灯によりおびき寄せ殺虫するのが一般的であるが、夜間などにしか有効でなかった。
【０００９】
有害な水中生物については、遭遇した場合に捕獲するか、殺す以外の方法は有効でなかった。
【発明の概要】
【発明が解決しようとする課題】
【００１０】
本願の目的とするところは、害獣、害虫、有害な水中生物を殺傷することなく、害獣、害虫、有害な水中生物を近づけない振動発生装置、及び振動発生システムを提供することにある。
【課題を解決するための手段】
【００１１】
本願の振動発生装置は振動子、記憶部、電源、スイッチからなり、
前記スイッチがＯＮになると、前記記憶部に記憶された予め測定された害獣、害虫の骨格又は甲殻の固有振動数を前記振動子に送信し、
前記振動子は、受信した前記固有振動数により振動し、
前記振動発生装置は、保護対象物の近辺の地表又は地中に配置され、前記害獣、害虫を寄せ付けないことを特徴とする。
【００１２】
振動子、記憶部、電源、スイッチからなる振動発生装置であって、
前記スイッチがＯＮになると、前記記憶部に記憶された予め測定された害獣、害虫の骨格又は甲殻の固有振動数を前記振動子に送信し、
前記振動子は、受信した前記固有振動数により振動し、
前記振動発生装置は、地面に建てられたポールの腕部、又は木の枝に設置され、空気を振動させて前記害獣、害虫を寄せ付けないことを特徴とする。
【００１３】
振動子、記憶部、電源、スイッチからなる振動発生装置であって、
前記スイッチがＯＮになると、前記記憶部に記憶された予め測定された有害な水中生物の骨格又は甲殻の固有振動数を前記振動子に送信し、
前記振動子は、受信した前記固有振動数により振動し、
前記振動発生装置は、水面、水中、水底に設置されて水を振動させて前記有害な水中生物を寄せ付けないことを特徴とする。
【００１４】
前記害獣、害虫又は有害な水中生物の骨格又は甲殻の固有振動数は、頭蓋骨又は頭部甲殻の固有振動数であることを特徴とする。
【００１５】
前記害獣、害虫又は有害な水中生物の骨格又は甲殻の固有振動数は、その骨格又は甲殻の大きさに応じて複数のグループに分けて測定され、重畳されることを特徴とする。
【００１６】
前記振動発生装置の設置場所、設置個数は、振動が伝わる範囲に応じて設定されることを特徴とする。
【００１７】
前記振動発生装置の外郭に記憶部にデータを入力するための入力端子が設けられることを特徴とする。
【００１８】
本発明の振動発生システムは、
少なくとも１つの前記振動発生装置、少なくとも１つのセンサー、制御部を含み、
前記少なくとも１つのセンサーが接近する物体を感知した場合、その情報を前記制御部に送信し、
前記制御部は、前記少なくとも１つの前記振動発生装置に前記スイッチをＯＮにするよう指示し、
前記少なくとも１つのセンサーが接近する物体がなくなったことを感知した場合、その情報を前記制御部に送信し、
前記制御部は、前記少なくとも１つの前記振動発生装置に前記スイッチをＯＦＦにするよう指示することを特徴とする。
【発明の効果】
【００１９】
本願の実施形態によれば、害獣、害虫を殺傷することなく、害獣、害虫、有害な水中生物の接近を抑える振動発生装置、及び振動発生システムを提供できる。
【図面の簡単な説明】
【００２０】
【図１】本願の第１の実施例を示す配置図である。
【図２】本願の振動発生装置を説明するブロック図である。
【図３】本願の第１の実施例の順序図である。
【図４】本願の振動発生装置を用いた振動発生システムの構成を示す図である。
【図５】本願の第２の実施例を示す配置図である。
【発明を実施するための形態】
【００２１】
多くの生物は、その体内の一部はカルシウム成分によりできている。例えば骨格や甲殻である。
【００２２】
生物のある種類に着目すると、その骨格又は甲殻の構造は同様であり、その大きさは親、子で異なり、また個体差はあるもののいくつかにグループに分けることが可能である。
【００２３】
ここで、骨格又は甲殻としたが、例えばその部分である頭蓋骨又は頭部甲殻もいくつかのグループに分けることができ、それぞれの固有振動数を測定可能である。
【００２４】
例えば、前記生物のある種類に属する個体も、頭蓋骨又は頭部甲殻を有し、前記測定された固有振動数に接すると、その頭蓋骨又は頭部甲殻は共振を起こすので、前記測定された固有振動数から逃れようとする。
【００２５】
まず第１の実施例を説明する。第１の実施例は、害獣、害虫から農作物被害を防ぐ。
図１は、本願の第１の実施例を示す配置図である。
農作物１は農地２に植えられており、農作物１は縛り紐４等により支柱３に結び付けられている。また、振動発生装置５は農作物１近辺の農地２の表面に設置されるか、農作物１近辺の農地２に埋設される。
【００２６】
振動発生装置５は、害獣・害虫の骨格又は甲殻の固有振動数を発生する。
【００２７】
骨格又は甲殻の固有振動数にその体の一部が共振することを避けるため害獣、害虫は、近寄らない。
【００２８】
図１においては、農作物１毎に振動発生装置５が設置されている例を示すが、振動発生装置５の振動強度に応じて複数の農作物１毎に振動発生装置５が設置されても良い。設置場所、設置個数は、振動が伝わる範囲に応じて設定される。
【００２９】
図２は、本願の振動発生装置５を説明するブロック図である。
振動発生装置５は、振動子６、記憶部７、電源８、スイッチ９からなる。
【００３０】
振動子６は、害獣、害虫の骨格又は甲殻の固有振動数を発信する。
振動子６は、電源８から電力を供給され、記憶部７から固有振動数情報を受信し、あらゆる振動方法により振動する。
ここで、前記固有振動数は、例えば鹿の雄親の骨格の固有振動数、雌親の骨格の固有振動数、子供の骨格の固有振動数、親と子供の中間の大きさの骨格の固有振動数を重畳した振動数である。また、複数の害獣、害虫の骨格又は甲殻の大きさの複数のグループの固有振動数を重畳した振動を発生させても良い。
【００３１】
振動発生装置５を農作物１近辺の農地２の表面に設置するか、農地２に埋設することにより、地中、地面から近づく害獣、害虫に、その骨格又は甲殻の固有振動数の振動を伝え撃退できる。
【００３２】
飛来する害獣、害虫については、例えば害鳥、害虫が支柱３あるいは農作物１に止まった段階で、支柱３あるいは農作物１を介して、その骨格又は甲殻の固有振動数の振動を伝え撃退できる。
【００３３】
記憶部７は、害獣、害虫の骨格又は甲殻の固有振動数を記憶し、それを振動子６に伝える。
【００３４】
スイッチ９がＯＮになると、電源８は、振動子６、記憶部７にその駆動電力を供給する。電源８は電池、蓄電池であってもよく、外部電源の中継部であってもよい。
【００３５】
ここで、振動発生装置５には防水、防埃がなされる。
【００３６】
図３は、本願の第１の実施例の順序図である。
まず、対象となる害獣、害虫の骨格又は甲殻の固有振動数を測定する。この時、上述したように害獣、害虫の骨格又は甲殻を複数のグループに分けて測定する。（Ｓ１０１）
【００３７】
次に記憶部７に測定した固有振動数を記憶させる。（Ｓ１０２）
上述したように記憶させる固有振動数は複数の固有振動数を重畳したものであってよい。
ここで、図２には図示しなかったが、振動発生装置５の外郭に記憶部７にデータを入力するための入力端子を設けても良い。この部分にも、防水、防埃がなされる。
【００３８】
最後に振動発生装置５を農作物１近辺に設置し、スイッチ９をＯＮにする。（Ｓ１０３）
【００３９】
図４は、振動発生装置５を用いた振動発生システム１０の構成を示す図である。
振動発生システム１０は、少なくとも１つの振動発生装置５、少なくとも１つのセンサー１１、制御部１２からなる。
【００４０】
センサー１１は、農作物１に接近する物体を感知し、感知したことを制御部１２に伝達する。
【００４１】
制御部１２は、センサー１２に接近する物体の感知に基づき、振動発生装置５にスイッチ９をＯＮにするよう指示する。
【００４２】
また、センサー１１は、農作物１に接近する物体がなくなると、その情報を制御部１２に送信し、制御部１２は、センサー１２に接近する物体がなくなった情報に基づき、振動発生装置５にスイッチ９をＯＦＦにするよう指示する。
【００４３】
ここで、少なくとも１つの振動発生装置５と制御部１２、少なくとも１つのセンサー１１と制御部１２は、それぞれ有線又は無線によりつながれており、これにより情報の送受信が行われる。
【００４４】
本願の実施形態の振動発生装置５によれば、害獣、害虫を殺傷することなく、害獣、害虫による農作物被害を抑えることができる。
【００４５】
以上説明した実施例１は農作物を害獣、害虫から守るものであるが、例えば野球やサッカーのグランドが害獣に踏み荒らされて凸凹にされることへの対策にも適用できる。
【００４６】
次に、第２の実施例を説明する。第２の実施例は、害獣、害虫から人間や家屋などの財産を守る。
【００４７】
第１の実施例と同様に家屋近辺、庭、道路に振動発生装置５を埋設あるいは設置する方法がある。
しかし、それだけでは、スズメバチ等の害虫を防ぐには十分でない。その理由は、このような害虫は空中を飛んでいるときに人間を攻撃するからである。
【００４８】
第２の実施例は、第１の実施例と振動発生装置５の設置方法だけが異なる。
図５は本願の第２の実施例を示す配置図である。
【００４９】
第２の実施例においては、地面にポール１３及びポール１３から突き出た腕部１４を設けてそこに振動発生装置５を設置するか、又は木の枝に振動発生装置５を設置する。
【００５０】
設置の方法は、腕部１４又は枝から振動発生装置５を吊り下げることが望ましい。
すなわち第２の実施例においては、振動発生装置５の振動がポール１３、腕部１４、木の枝に伝わることを最小限にし、できるだけ振動が空気だけに伝わるようにする。
【００５１】
振動により、害獣、害虫が近寄らなくなる理由は実施例１と同様である。また、設置場所、設置個数は、振動が伝わる範囲に応じて設定される。
【００５２】
次に、第３の実施例を説明する。第３の実施例は、第１、第２の実施例と振動発生装置５の設置場所だけが異なる。
【００５３】
第３の実施例においては、振動発生装置５を水面、水中、又は水底に設置する。
【００５４】
すなわち、第３の実施例においては、水中に振動を伝わせるようにし、ワニ、カミツキガメ、サメ、ヒトデ等の有害水中生物に対して振動を伝える。ここで、水中としては水の動きが小さな池などが望ましいが、多少の水の動きがあっても有効である。
【００５５】
振動により、有害な水中生物が近寄らなくなる理由は実施例１、２と同様である。また、設置場所、設置個数は、振動が伝わる範囲に応じて設定される。
【符号の説明】
【００５６】
１  農作物
２  農地
３  支柱
４  縛り紐
５  振動発生装置
６  振動子
７  記憶部
８  電源
９  スイッチ
１０  振動発生システム
１１  センサー
１２  制御部
１３  ポール
１４  腕部
【図１】
2019097472.tif 000003
【図２】
2019097472.tif 000004
【図３】
2019097472.tif 000005
【図４】
2019097472.tif 000006
【図５】
2019097472.tif 000007